(57)【要約】  本発明は、動物用靴（１）、特に歩行障害のある偶蹄目の有蹄動物（３）の緩和のための動物の足（２）用整形外科靴、並びに靴の基部（１１）とそのような動物用靴（１）のためのキットに関する。安価かつ安全に、経験のないスタッフによってさえも迅速かつ容易に、偶蹄目の有蹄動物等の歩行障害のある動物の傷ついた領域を緩和するために、本発明に係る動物用靴（１）は、アウトソール（１３）とアウトソール（１３）の反対側に配置されるインソール（１４）とを有する靴の基部（１１）と、動物の足（２）に正確にカスタマイズすることができ、動物の足（２）に取り付けるための固定シャフト（１２）とを備える。本発明に係る靴の基部（１１）は、独立気泡発泡体（１８）から形成されるアウトソール（１３）と、アウトソール（１３）の反対側に配置されるインソール（１４）とを備える。本発明に係るキットは、本発明に係る靴の基部（１１）と、動物の足（２）に正確にカスタマイズすることができ、動物の足（２）に取り付けるための固定部（１５）と靴の基部（１１）に接続するための取り付け領域（１６）とを有する固定シャフト（１２）とを備える。【選択図】図１
2020504614.tif 000002
【特許請求の範囲】
【請求項１】
動物用靴（１）、特に歩行障害のある偶蹄目の有蹄動物（３）の緩和のための動物の足（２）用整形外科靴であって、
アウトソール（１３）と、前記アウトソール（１３）の反対側に配置されるインソール（１４）とを有する靴の基部（１１）と、
前記動物の足（２）に対して正確にカスタマイズ可能で、前記動物の足（２）に取り付け可能な固定シャフト（１２）と、
を備える動物用靴（１）。
【請求項２】
請求項１に記載の動物用靴（１）であって、
前記固定シャフト（１２）は、収縮可能な材料で製造されていることを特徴とする動物用靴（１）。
【請求項３】
請求項１又は２に記載の動物用靴（１）であって、
前記固定シャフト（１２）は、１体として取り扱うことができるように前記靴の基部（１１）に接続されていることを特徴とする動物用靴（１）。
【請求項４】
請求項３に記載の動物用靴（１）であって、
前記固定シャフト（１２）及び前記靴の基部（１１）は、共に溶着され、
それらはラミネート加工によって互いに好適に接続されていることを特徴とする動物用靴（１）。
【請求項５】
請求項１乃至４のいずれか１項に記載の動物用靴（１）であって、
前記固定シャフト（１２）は、Ｙ字型を有するように構成されていることを特徴とする動物用靴（１）。
【請求項６】
請求項１乃至５のいずれか１項に記載の動物用靴（１）であって、
前記インソール（１４）の材料は、前記アウトソール（１３）の材料よりやわらかいことを特徴とする動物用靴（１）。
【請求項７】
請求項１乃至６のいずれか１項に記載の動物用靴（１）であって、
前記アウトソール（１３）は、独立気泡材料（１８）から形成され、及び／又は、
前記インソール（１４）は、連続気泡材料（１９）から形成されていることを特徴とする動物用靴（１）。
【請求項８】
請求項１乃至７のいずれか１項に記載の動物用靴（１）であって、
前部の頭側端部（２６）及び／又は後部の尾側端部（２７）の前記靴の基部（１１）のトレッド面（１７）は、前記インソール（１４）の方向に向かって上方に曲がっていることを特徴とする動物用靴（１）。
【請求項９】
請求項１乃至８のいずれか１項に記載の動物用靴（１）であって、
前記靴の基部（１１）は、２つの層を有して構造化され、アウトソール部材（２０）とインソール部材（２１）とを有することを特徴とする動物用靴（１）。
【請求項１０】
請求項９に記載の動物用靴（１）であって、
前記アウトソール部材（２０）及び前記インソール部材（２１）は、互いに溶着され、
それらはラミネート加工によって互いに好適に接続されていることを特徴とする動物用靴（１）。
【請求項１１】
請求項１乃至１０のいずれか１項に記載の動物用靴（１）であって、
前記アウトソール（１３）及び／又は前記インソール（１４）は、補強ゾーン（３６）を有していることを特徴とする動物用靴（１）。
【請求項１２】
請求項１乃至１１のいずれか１項に記載の動物用靴（１）であって、
球体保護部（３０）を備えることを特徴とする動物用靴（１）。
【請求項１３】
請求項１２に項に記載の動物用靴（１）であって、
前記球体保護部（３０）は、前記固定シャフト（１２）に対して土台（３１）を形成することを特徴とする動物用靴（１）。
【請求項１４】
動物用靴（１）、特に歩行障害のある偶蹄目の有蹄動物（３）の緩和のための動物の足（２）用整形外科靴のための靴の基部（１１）であって、
独立気泡材料（１８）から形成されるアウトソール（１３）と、
前記アウトソール（１４）の反対側に配置され、連続気泡材料（１９）から形成されているインソール（１４）と、
を備える靴の基部（１１）。
【請求項１５】
動物用靴（１）、特に歩行障害のある偶蹄目の有蹄動物（３）の緩和のための動物の足（２）用整形外科靴のためのキットであって、
請求項１４に記載の靴の基部（１１）と、
前記動物の足（２）に正確にカスタマイズ可能で、前記動物の足（２）に取り付けるための固定部（１５）と、前記靴の基部（１１）に接続するための取り付け領域（１６）とを有する固定シャフト（１２）と、
を備えるキット。
【発明の詳細な説明】
【技術分野】
【０００１】
本発明は、動物用靴、特に畜牛等の歩行障害のある偶蹄目の有蹄動物の緩和のための動物の足用の整形外科靴に関する。
【０００２】
本発明は、さらに、動物の足用、特に歩行障害のある偶蹄目の有蹄動物の緩和のための動物の足用の整形外科靴用の靴の基部と、そのような靴の基部を備える動物用靴用のキットに関する。
【背景技術】
【０００３】
動物の屋内住居、家庭内や農場の動物の栄養及び育種計画（育種目的）は、偶蹄目の有蹄動物の場合、それらの（骨格系）四肢や足、例えば、それらの爪に動物の発達障害を引き起こすことが多い。その結果、動物の歩行パターンを損なうことを意味すると理解されている跛行になる場合が多い。
【０００４】
跛行は、動物の健康を悪化させるだけでなく、動物の経済的実行可能性を低下させる。例えば、跛行のある乳牛は、乳の産出量が低い。跛行の結果、食肉処理の早期化にさえなる可能性があり、そのため利用できる平均寿命が短くなる恐れがある。このことは、動物が、その結果、事業から、従って乳の生産から外れるため不経済である。さらに、動物の足が不自由であると、その世話のための作業時間の増大だけでなく、治療費と獣医の費用の増大も引き起こす。さらに、爪疾患は非常に痛みを伴い、動物の健康を悪化させる。
【０００５】
跛行の原因は、動物の遠位四肢の疾患にあることが判明している。偶蹄目の有蹄動物と奇蹄目有蹄動物に関して、これらの疾患は爪疾患と呼ばれている。
【０００６】
爪疾患の結果としての跛行は、全世界で平均１５％乃至３５％の罹患率を有する。跛行の臨床症状の原因は、感染性及び非感染性の爪疾患である。非感染性の爪疾患は、例えば、過荷重と不適切な給餌から生じる。さらに、畜産によって（通例の酪農厩舎において、動物は硬い表面の床又はスラット床の上に立ち、走るため）これらの疾患が引き起こされる。感染性の爪疾患は、通例、不適切な厩舎の衛生によって引き起こされる。感染性及び非感染性の爪疾患は、通例では、同時に発生する。
【０００７】
畜牛が横になって過ごす、１日当たり数時間という時間は、爪の健康に対して最も重要であり、また動物は、自由に動くことができなければならず、給餌台又は搾乳室の前で長時間立たせることは避けなければならない。これらの勧告の背景は、遠位四肢への血液の供給であり、それは荷重状況によって大きく異なる。横になる、従って荷重をかけない姿勢の場合、血液は畜牛の遠位四肢の毛細血管を自由に循環することができる。動脈血と静脈血の交換によって、細胞代謝の最終産物を除去することができる。この除去が停滞する場合、細胞マトリックスを損傷し、その程度よっては重大な結果が生じる。走行時の移動過程中では、爪の球体又は球は、脂肪組織による減衰機能を担うだけでなく、血液を分配する機能も担う。爪に荷重がかかる場合、毛細血管の血液は、趾クッションに生じる圧力によってずっと圧迫され、荷重がなくなると、動脈血は流れる。荷重印加と荷重除去によって血液が輸送される。趾クッションは、従って、抹消四肢の健康に対して非常に重要である。立っている場合、定荷重のため血液輸送の悪化が生じる、従って、硬い床に長時間立つことは爪の健康に対して有害である。
【０００８】
爪疾患が生じると、その後、通例では、四肢の爪の一つのみが影響を受ける。軽い感染性の足疾患又は爪疾患は、抗生物質のスプレーによって治療される。中程度及び重度の疾患は、通例、抗生物質によって体系的に治療される。この目的のために、蹄タール又は蹄テープを用いて、汚染と水に対して保護する保護包帯を適用することができる。特に、偶蹄目の有蹄動物に対して、健康な爪には爪ブロックが設けられるので、疾患のある爪は動きのシーケンスから除外される。治癒プロセスを早めるために及び疾患のある爪から荷重を取り除くために、いわゆる爪ブロックが健康な爪に接着剤で付けられる。その結果、疾患のある爪は持ち上げられて動き又は荷重から除外される。
【０００９】
爪ブロックは、例えば独国特許第１００  ３３  ８２２  Ａ１で知られるように、健康な爪を持ち上げてそれによって疾患のある爪を緩和する。その緩和によって、痛みが軽減されまた創傷治癒がより早められる。既知の爪ブロックシステムは、爪の下側に接着剤で付けられる木製又はプラスチック製のブロックで構成される。既存のシステムは、様々な理由のために不都合である。それは取り扱いが困難である。標準に準拠した爪のトリミングを最初に実行しなければならないので、不慣れなユーザは独力でそれを取り付けることができない。このため、獣医又は爪の世話人を必要とする。木製の爪ブロックは硬く、爪の動きの生理的シーケンスをサポートしない。既知の爪ブロックでは、非生理的な足置きが生じて、爪に対する荷重圧力に重大な変化を生じさせる。球体は取り付け中に接着剤から除外されなければならないので、爪ブロックは、趾クッションの機能を損ない、球体の本来の減衰特性も失わせる。最悪の場合、これは、健康な爪が過荷重となり損傷を受けることにつながる。接着されるブロックは、正確にフィットするように作らなければならない、さもなければ止血点を生じさせる又は圧力分布に悪影響を及ぼす。既知の爪ブロックシステムを使用することの一つの可能性のある影響としては、健康な爪が病気になることである。プラスチック製のブロックはそれほど硬くないが、それでも接着剤で付ける必要がある。使用される接着剤は健康に有害であり、その使用は人間及び動物にリスクをもたらす。微粒子が食物連鎖に侵入する恐れがあるというリスクがある、というのは、それらの物質は、食物を提供する動物に適用されるからである。接着剤の残留量は有害廃棄物として処分されなければならない。さらに、接着剤は最初に硬化しなければならない、そのため、既存の爪ブロックシステムは時間がかかり労働集約的である。最後に、接着剤で付けるブロックは、多大な労力をかけてのみようやく除去することができる。
【発明の概要】
【発明が解決しようとする課題】
【００１０】
これらの問題点を考慮すると、安価かつ無害で、また訓練を受けていないスタッフによってであっても、迅速かつ容易に実行することができる、歩行障害のある偶蹄目の有蹄動物等の動物の緩和のためのより良い解決法が必要とされる。
【課題を解決するための手段】
【００１１】
本発明は、動物用靴、特に、アウトソールと前記アウトソールの反対側に配置されるインソールを有する靴の基部と、動物の足に対して正確にカスタマイズ可能で、前記動物の足に取り付けるための固定シャフトとを備える、歩行障害のある偶蹄目の有蹄動物の緩和のための動物の足用整形外科靴を用いてこの目的を満たすことができる。
【００１２】
接着剤成分の調剤を省き、動物の足に正確にフィットすることができる固定シャフトを用いることによって、利便性を向上し動物用靴の取り付けと着用のために必要な時間を低減する。接着剤成分は必要とされない。さらに、本発明に係る動物用靴は、動物の足から、例えば、歩行障害を有する偶蹄目の有蹄動物の爪から迅速かつ容易に再び取り外すことができる。さらに、本発明に係る動物用靴に対しては動物の足の健康に関する専門知識は必要とされない。動物の足に前記動物用靴を取り付けるために、前記固定シャフトは、動物の足の少なくとも一部に被され、その後取り付けられる。カスタマイズされた正確なフィット固定とは、前記固定シャフトが当接する軟部組織に傷害を引き起こすことなく、前記固定シャフトが動物の足に適応し正確にフィットし、また動物の足の血液の循環に悪影響を及ぼさないというように理解されるべきである。正確にカスタマイズされた取り付けにおいては、動物の足、すなわち、爪の中心には、張力が全く作用しないか又は最大限でも無視できる張力しか作用しないので、紐がしっかり縛られた場合に爪の中心の方に衝撃力（すなわち、角質形成に影響する力）を及ぼす弾力のある圧迫包帯、締め具、バックル又はストラップ取り付けの場合にある爪の角質形成への悪影響はない。前記固定シャフトはカスタマイズ化され調整可能である、すなわち、その形状を変えることができるという事実によって、動物の足の幅、高さ、長さに関わりなく、形状に合った動物特有の方法で当接することができる。
【００１３】
本発明に係る動物用靴は、それ自体有利であり、また互いに無作為に組み合わせることができる様々な実施形態によってさらに改良することができる。これらの実施形態とそれに関連付けられる利点を下記で説明する。
【００１４】
前記動物用靴は緩和、すなわち、歩行障害のある動物の足のための緩和支援用の整形外科靴であってもよい。前記動物用靴は、具体的には、いくつかのつま先を有する有蹄動物、例えば、偶蹄目の有蹄動物の爪のための整形外科用緩和物資であってもよく、その靴の基部は、動物の足の単一のつま先に配置される。いくつかのつま先を有する有蹄動物、又は、偶蹄目の有蹄動物のその他のつま先は、それによって持ち上げることができ、前記靴の基部に接触しない。
【００１５】
一実施形態に従って、前記固定シャフトは、固定ストッキング、固定ソックス又は円周方向に完全に閉じた環として構成されてもよい。本実施形態によると、動物の足への取り付けが容易になる。前記動物用靴は、それを着用、取り付けるために、その後、靴下のように単に動物の足に被せるだけでよい。
【００１６】
前記固定シャフトは、動物の足に取り付けるために、動物の足又は動物の足の一部に被せることができる固定部を有してもよい。前記固定シャフトは、前記固定部の反対側に配置される、前記靴の基部に接続するための取り付け領域を有してもよい。
【００１７】
前記固定シャフトは、つま先の角質に取り付けるように構成されてもよい。前記靴の基部上の取り付け領域から反対側の前記固定部の端までの前記固定シャフトの長さは、つま先の大きさ、例えば、前記動物用靴が考案されている爪に対応させてもよい。その結果、前記動物の本来の動きのシーケンスはわずかに損なわれるだけである。偶蹄目の有蹄動物に対して考案される動物用靴の前記固定シャフトは、特に、個々の爪の水平面、具体的には偽蹄の下方で終わってもよい。従って、本実施形態では、動物の足の取り付けは偽蹄の上方では行われない。
【００１８】
さらなる一つの有利な実施形態に従って、前記固定シャフトは収縮可能な材料から成る。収縮可能な材料は、活性化されると空間的広がりが低減する材料を意味するものと理解される。活性化は、様々な方法で、例えば、温度変化、特定の波長の光による照射又は活性化剤の添加により引き起こすことができる。好適には摂氏８０度未満の温度で、好適には従来のヘアドライヤ又は温風送風機の使用によって容易に達成できる摂氏５０度乃至摂氏７５度で、熱の作用によって活性化される収縮可能な材料が適しており、取り扱いが容易である。これらの温度は皮膚や髪に対して優しい。収縮可能な材料の利点は、動物の足に被せた後、迅速かつ容易にカスタマイズできる、すなわち、各動物の足に対して正確にフィットする、動物特有の方法で適合させることができることである。これにより、意に反した組織の疾患のリスク又は血液循環の狭窄なく、動物の足に対する前記固定シャフトの確実なフィットが可能になる。前記固定シャフトは、例えば、収縮チューブとして構成されてもよい。そのような熱収縮チューブは安価に製造される。熱収縮チューブは所望の寸法に容易に製造することができ、そして、第１に、動物の足に着用することを可能にし、第２に、前記動物用靴を足に取り付けるその後の活性化が行われる際に、動物の足に正確にフィットする十分な収縮率を有する。
【００１９】
前記固定シャフトは、プラスチック材料、好適には収縮可能なプラスチック材料でつくられてもよく、それにより成形を簡単にし、費用を低減する。食品産業のＩＳＯ標準に準拠するプラスチック材料は無害である。例えば、ポリエチレン及びポリプロピレン等のポリオレフィン、又はポリエチレンテレフタレート、ポリテトラフルオロエチレン、ポリ塩化ビニールあるいはエラストマーを使用してもよい。ゴム又はシリコンも収縮可能な固定シャフトのための材料として使用してもよい。一実施形態において、前記固定シャフトは、特に資源及び気候に配慮した再生プラスチック材料で作られてもよい。環境に優しい変形例では、前記固定シャフトは、セルロース系プラスチック材料、ポリ乳酸又はその他のバイオポリマー等の石油化学的及び／又は生物学的に分解可能なプラスチック材料で作られてもよい。
【００２０】
さらなる一実施形態に従って、前記固定シャフトは、一体として取り扱うことができるように前記靴の基部に接続されてもよく、それにより、取り扱いが簡単になり、訓練されていないスタッフが本発明に係る動物用靴を着用させることを迅速かつ容易に習うことも可能になる。本発明に係る動物用靴の前記靴の基部は、前記固定シャフトの取付け領域において固定シャフトに接合することができる。接続は任意の接合方法によって確立することができる。例えば、縫製等のテキスタイル接合による接続、接着、溶着、加硫又は成形による接続が可能である。一実施形態において、前記固定シャフトと前記靴の基部は一緒に溶着されてもよい。前記固定シャフトと前記靴の基部は、好適にラミネート加工によって互いに接続されてもよい。ラミネート加工は、補助手段のない確実な物質適合熱接合プロセスと呼ばれる。
【００２１】
特に偶蹄目の有蹄動物に対する動物用靴に関する、さらなる一実施形態において、前記固定シャフトは、Ｙ字型を有するように構成されてもよい。Ｙ字型構成は、前記固定シャフトがトランクとトランクから分岐する２つのアームを有するというように理解されたい。前記Ｙ字型の固定シャフトのトランクは、動物の脚に対して偶蹄目の有蹄動物の爪上方の固定を達成する固定部を形成してもよい。トランクから分岐する２つのアームのそれぞれは、２つの爪のうちの１つを収容する役割を果たす。その結果、Ｙ字型の固定シャフトは、偶蹄目の有蹄動物に対する使用のために理想的に考案される。例えば、３つのひづめを有する奇蹄目の有蹄動物の場合、当然ながら、適切に変更された固定シャフトが使用されてもよく、固定シャフトのトランクから爪と同じ数のアームが分岐して爪を囲む。
【００２２】
分岐形態で構造化される固定シャフト、例えば、Ｙ字型の固定シャフトのアームのうち少なくとも１つは、前記靴の基部への接続のための取付け領域を備えてもよい。一実施形態に従って、前記靴の基部は、従って、前記靴の基部が取り付けられる爪に割り当てられるアームのうちの１つに配置されてもよい。
【００２３】
しかしながら、適用分野によっては、分岐された固定シャフトの数個又は全てのアームに配置される数個の靴の基部が存在することも可能である。各アームに１つの靴の基部が配置されるＹ字型又は分岐した固定シャフトを有する動物用靴は、予防的に使用されてもよい。厩舎の床は非常に硬い場合がある。これにより、偶蹄目の有蹄動物の爪ソールに重度の角質摩耗が引き起こされる。重度の角質摩耗は、動物の歩行障害の原因となる。これは、靴の基部を全てのアームに取り付けることができる本実施形態によって防止することができる。目的は、爪の角質を保護することである。本実施形態は、特に、侵襲性を有する床や重荷重に対しても保護する。さらに、本実施形態において、靴の基部の減衰特性によって、動物はほとんど柔らかい地面、すなわち前記靴の基部の上に置かれる。餌を介したマイコトキシンの摂取又は血流中のエンドトキシンの拡散によって、動物、特に畜牛は、全身性の炎症症状を示す場合がある。これらの炎症は、畜牛の全ての四肢にも、及び、従って爪のサスペンション器官にも見られる。その結果、動物は痛みを伴い歩行が困難になる。そのような痛みは、全ての爪に対して靴の基部を有する本実施形態によって軽減することができる。一実施形態に従って、固定部を有するいくつかの個々の靴の基部は、爪の角質部に付いている四肢の個々の爪に予防的に取り付けることができる。
【００２４】
爪疾患を有する偶蹄目の有蹄動物の場合、通例、２つの爪のうち１つのみが罹患する。傷ついた爪は、健康な爪に前記靴の基部を取り付けて緩和することができる。同時に、傷ついた爪及び／又は巻かれた包帯を汚れや意に反した外部の影響から保護することに努力が払われる。これは、本発明に係る靴の基部をＹ字型の固定シャフトの１つのアームに配置するという、Ｙ字型の固定シャフトによる簡単な方法で達成することができる。前記靴の基部が配置されていない前記固定シャフトのアームは、傷ついた爪と一体となって外部の影響に対して保護するためのジャケットの機能を提供することができる。さらなる一実施形態において、前記傷ついた爪と一体となったアームは、その遠位端で閉じることができ、それによって前記傷ついた爪を全面的に囲うように収容できるカプセルを提供する。より良い創傷治癒のために、活性物質又は液体リザーバー及び／又は液体吸着剤を傷ついた爪に関連付けられたアームに供給することもでき、治癒プロセスに影響を与えることができる。
【００２５】
畜牛等の動物の四肢は、柔らかく弾力性がある地面に適合している。柔らかい土壌によって、畜牛は荷重圧をできるだけ大きい爪の表面と体重を支える角質部分に分配することができる。通例の乳牛厩舎において、動物は硬い表面の床又はスラット床の上に立って歩き、そのようなグラウンドには適応できないので体重は小さな爪の表面に集中する。既知のブロックシステムを使用する場合、健康な爪が四肢の全体荷重を支える必要があることが考慮されていない。本発明の靴の基部は傷ついた動物の脚の緩和に役立つ。前記動物用靴の履き心地を向上するために、前記靴の基部は減衰効果を有する材料で作られてもよい。爪ブロックでは可能でない減衰によって、例えば、動物の足に作用する圧荷重は減少する。前記減衰効果のある靴の基部により、本来の動きのシーケンスと動物の四肢の支持部分への生理的な力の伝達が可能になる。前記減衰効果のある靴は、両方の爪の重量、すなわち、２倍の重量を支えるようにも考案されており、従って２倍の重量を減衰するように考案されている。前記靴の基部は、特に偶蹄目の有蹄動物のための実施形態において、本来の動きのシーケンス中に各動物の足にかかる重量の２倍の重量を吸収するように考案されてもよい。前記靴の基部は、具体的に、体独自の減衰パッドをサポートするように形成し、それによって生理的な動きのシーケンスと動物の足に対する重量の分配を維持することができる。健康な爪に対する増加荷重により引き起こされる過荷重は、前記靴の基部の減衰特性によって防ぐことができる。
【００２６】
一実施形態に従って、前記靴の基部のインソールの材料はアウトソールの材料よりも柔らかい。柔らかく形成されたインソールはこすれに対する減衰と保護の役割を果たし、動物特有の生体構造に適合することができる。具体的には、例えば、不規則な爪ソールによって生じる不均一性を相殺するように考案される。例えば、前記インソールをゲル層又は発泡体層から形成すること又は前記インソールにゲル層又は発泡体層を含めた物から形成することが、それぞれ、前記インソールを適切に構成することを可能にする。前記インソールの材料は、前記アウトソールの材料に対して可動又は変形可能であってもよい。本実施形態のアウトソールは、前記インソールに対して強固に接合されておらず、足置きプロセス中に、動物の足が爪又はつま先の自然な回転と広がりを反復することを可能にする。
【００２７】
特に好適には、前記インソールは、特に動物の足と接触するソール領域において、連続気泡材料又は連続有孔材料、例えば、連続気泡プラスチック材料又はその他の連続気泡発泡体から形成されてもよい。そのような連続気泡材料、例えば、連続気泡プラスチック発泡体は、凹凸を相殺する。爪ソールの凹凸は、こうして確実に相殺することができ、先行技術で既知の爪ブロックを用いる場合に必要とされる、以前必要とされた爪のトリミングはもはや必要とされない。
【００２８】
前記靴の基部の前記アウトソールは、好適に、減衰特性も有し、それによって、動物の足に脂肪組織として存在して蹄骨をサポートする役割を果たす趾クッションの本来の減衰特性をサポートする。
【００２９】
一実施形態に従って、前記アウトソールは、独立有孔材料又は独立気泡材料、例えば、独立気泡プラスチック材料又はその他の独立気泡発泡体から形成されてもよい。そのような独立気泡材料、例えば、独立気泡プラスチック発泡体は、所望の減衰特性を有すると同時に、汚れ又は水分が、前記アウトソールを介して前記靴の基部のソール表面まで侵入するのを防止するバリアを提供する。適切な減衰特性にもかかわらず、そのような独立気泡ポリマーは、通例、初期の足置き圧力を吸収するのに十分強く、余分な荷重を支える際に健康な爪をサポートする。
【００３０】
前記アウトソールのトレッド面に、滑りやすい表面上でも動物の安全な足置きを確保する滑り止め要素が設けられてもよい。この目的のために、前記トレッド面又は前記トレッド面の一部には、例えば、トレッドパターンが設けられてもよい。
【００３１】
例えば、偶蹄目の有蹄動物に対して有利なさらなる一実施形態に従って、前記アウトソール及び／又は前記インソールは、サポートゾーン（又は補強ゾーン）で補強されてもよい。前記補強ゾーンは、爪の支持端部に対応する、前記アウトソール又はインソールの領域に、それぞれ形成されてもよい、すなわち、動物の爪の支持端部がある領域に設けられてもよい。補強ゾーンによって、爪の前記支持端部に付随する領域の前記ソールは特によく機能し、動物の生理的な本来の重量配分に適合する。補強ゾーンにおいて、前記アウトソール又はインソールは、それぞれ、より密度が高くてもよい、すなわちより硬くてもよい。その結果、重量を支える爪部分が、前記ソールのより硬いが、それでもなお好適に減衰する領域を圧迫することが達成される。穏やかな治療を必要とする爪の部分は、前記ソールのやわらかくて保護的な領域の下に置くことができる。前記アウトソールは、軟質成分で作られてもよい前記インソールよりも硬い硬質成分で作られてもよい。ソールの補強ゾーンを硬質成分で製造し、前記ソール（アウトソール及び／又はインソール）の残りを比較的柔らかい軟質成分で製造することも可能である。
【００３２】
代わりにあるいはさらに、前記アウトソールは、補強ゾーンとして、前記トレッド面から突出するサポート用トレッドパターンを、好適にはそのトレッドの端部領域に有してもよい。そのようなトレッドパターンの構成は、ひづめや爪をそれぞれ均一に下ろさない有蹄動物を対象にしている。あるいは、体重がますます四肢の特定の部分によってのみ支えられる動物、例として、畜牛を対象としており、爪のサポート部分はいわゆる壁エッジである。前記支持端部の領域で補強される、断面の厚みを有するトレッド面を有する前記アウトソールの構成によって、畜牛の重量は、爪の生理的部分に集中する。前記靴の基部は、自然な動きと、対応する動物の四肢の生理的な力の伝達をサポートし、不自然な動きのシーケンスに起因する、通例では過度に荷重がかからない部分、例えば、中央の爪表面に対する好ましくない過荷重を防ぐ。
【００３３】
前記靴の基部、特にそのアウトソールは、そのために、ソール支持端部を備えてもよい。前記ソール支持端部は、サポートゾーンによって補強される領域であり、例えば、前記ソールから突出する材料又は前記ソールの他の領域と比較してより大きな強度を有する材料によって達成できる。好適には、前記サポートゾーンのソールの硬度は、爪の角質部の硬度と一致し、疾患のある爪を追加的にサポートするという二重の荷重を考慮に入れる。
【００３４】
前記サポートゾーンは、動物の足の爪部分に関連付けられる前記靴の基部の領域に配置されてもよい。例えば、前記補強用のサポートゾーンは、前記靴ソールの端部領域に形成されてもよい。前記靴の基部又は前記ソールの比較的柔らかくより弾性のある中央領域は、その結果、荷重が軽減される。これにより、爪の中央部分を過荷重から保護する。より弾力性のある領域は爪のサポート段階中に前記靴の基部全体に均等に力を分配し安全な歩行のために均等なサポートを四肢に提供するのに対し、前記補強ゾーンの材料は、高荷重が発生する足置き段階中に荷重を吸収することができる。本実施形態において、前記靴の基部は、硬度と弾性において、爪の趾クッションの爪部分に対応することができる。その結果、動物の自然な動きのシーケンスは、本発明に係る前記動物用靴によってサポートされる。具体的には、前記趾クッションは、爪の上方の、荷重印加時と荷重除去時の２つの段階の血液循環を確保する循環クッションとしての機能を果たすことができる。このようにして、前記趾クッションのポンプ機能と生理的足置きが維持される。
【００３５】
さらなる一実施形態に従って、前記靴の基部は、２つの層で構成され、アウトソール部材とインソール部材を備えてもよい。前記アウトソール部材と前記インソール部材は、互いに対してスライド可能であってもよい。前記アウトソール部材と前記インソール部材は、また、互いに固定されて接続、例えば、互いに溶着されてもよい。溶着は、例えば、ラミネート加工によって行われてもよい。力の伝達のために平面が与えられるように、前記インソール部材と前記アウトソール部材との間の境界層は平面であることが好ましい。
【００３６】
前記靴の基部、具体的には、それのアウトソール部材及び／又はインソール部材を作ることができる材料の例としては、発泡性物質、例えば、とりわけ、ポリ乳酸、ポリエチレン又はポリエチレンテレフタレート等のプラスチック材料があり、あるいはゴム、ゲル及びシリコンもある。前記アウトソール部材及び前記インソール部材は、異なった材料又は同じ材料で作られてもよい。前記靴の基部の材料は、石油化学的及び／又は生物学的に分解可能であってもよい。
【００３７】
本発明に係る動物用靴は、硬質成分と軟質成分を使用する多成分材料で構成されてもよい。前記インソールは、軟質成分から形成され、前記アウトソールは硬質成分で形成されてもよい。前記アウトソール及び／又は前記インソール内に硬質成分により画定領域を、また軟質成分により他の画定領域を形成することも可能である。例えば、サポートゾーンは硬質成分により形成してもよい。
【００３８】
工業用熱可塑性樹脂（硬質成分）と熱可塑性エラストマー（軟質成分）の材料の組み合わせも可能である。これらの成分は、互いに機械的に固定（貫通孔、アンダーカット）及び／又は接着力（凝集、接着）によって接合されてもよい。接着接合では、前記境界層からの分子の拡散が起こり得るように硬質成分の上に軟質成分を注入することによって硬質成分の表面を軟化することができる。
【００３９】
一実施形態に従って、前記インソール部材及び／又は前記アウトソール部材は、押出しプラスチック材料、例えば、ポリエチレン又はポリエチレンテレフタレートから成る。前記２つのソール部材が同じ材料から成る場合、前記２つの部材の同時接合を伴う共押出しが特に簡単な方法で可能である。
【００４０】
プラスチック材料で作られる又は発泡体パッドとして作られる前記インソールを生産することによって、クッション発泡体の個別の領域を簡単な方法で選択的に取り除くことが可能になる。このようにして、傷害部が前記ソール材料の陥凹部に関連付けられるように傷ついた爪の傷害部に対してカスタマイズされるソール表面を設けることができる。
【００４１】
一実施形態に従って、前記靴の基部は、前記固定シャフトと同じ材料で作られてもよい。それにより、１つの鋳造プロセスでの生産が可能になる又は前記靴の基部と前記固定シャフトそれぞれの接合が簡素化される。本発明に係る動物用靴は、３Ｄ印刷技術を用いて生産することができる。
【００４２】
前方の爪を用いて、畜牛は、頭側のつま先、すなわち頭に面するつま先で最初に踏み下ろし、それとは反対に、後方の爪を用いて、尾側の球体又は球、すなわち尾に面する球体又は球で最初に踏み下ろすことは偶蹄目の有蹄動物、特に畜牛の特質である。この不均一な力と圧力の分配を考慮するために、さらなる実施形態に係る前記アウトソールの前記トレッド面は、それの前方の尾側端部又はそれの頭側端部それぞれで、前記インソールの方向に、上方に曲げられてもよい。この曲率は爪の表面を増加させ、その面は、足を置いたり走ったりする場合、力を伝達する面として機能する。その結果、最初の大きな反力を吸収する面が増大する。前記トレッド面は、動物が、特に効果的な方法で、前記トレッド面の上方に曲がった部分の上に足を置くことができるように構成される。特に有利な実施形態に従って、前記アウトソールのトレッド面は、前方の尾側端部及び頭側の後方端部の両方で上方に曲げられる。同じ動物用靴が、同じ側の前と後ろの四肢に対して使用されてもよい。本実施形態では、従って、動物の四肢の左脚用の１つの型と右脚用の１つの型の、２つの異なる種類の動物用靴を設けるのみでよい。一実施形態に従って、前記靴の基部の厚さは徐々に薄くなる。この目的のために、前記インソール部材及び／又はアウトソール部材は、この領域に所望の曲率を実現するために徐々に薄くされてもよい。代わりに、前記アウトソールが適合するように形作られてもよい。
【００４３】
さらなる一実施形態に従って、本発明に係る動物用靴は、球体保護部を備えてもよい。球体保護部は、軟部組織部分を保護するように覆って意に反した炎症を防止するクッションであると理解される。畜牛等の偶蹄目の有蹄動物に対して、荷重印加段階中に地面を歩行する場合、特に、前記蹄骨を保護する趾クッションを緩和しなければならない。自然な趾クッションの変形は自然な動きのシーケンスにおける荷重力を吸収、減衰させるために重要である。意に反した趾クッションの炎症が可能な限り防止できるように、爪の血液循環は前記趾クッションの荷重印加段階と荷重除去段階によって維持される。このことは、本発明に係る球体保護によって達成することができる。
【００４４】
一実施形態に従って、前記インソールは前記球体保護部を形成してもよい。この目的のために、前記インソールは、例えば、前記球体に当接する領域が厚くされてもよいし又は特に減衰させるように考案されてもよい。偶蹄目の有蹄動物では、前記趾クッションは、保護されない状態でかかとエリアに位置している。前記靴の基部が、足の先端から「かかと」又は球体まで測定した当該動物の足の長さより長く構成されている場合、前記靴の基部の形状は、前記球体保護部がわずかに曲がって前記球体に対してぴったり当接するように適合される。本実施形態に従って、前記アウトソールもまた、前記インソールによって分離されて、前記趾クッションに対して当接してもよい。前記インソールの尾側部が前記アウトソールの尾側端部を超えて突出することで、前記インソールが前記趾クッションを形成する一実施形態も可能である。前記突出部は、この実施形態において、前記球体保護を形成する。さらなる一実施形態に従って、前記球体保護部は前記固定シャフトのための土台を形成し、それによって固定シャフトが、傷つきやすい組織部に対して望ましくない方法で直接当接することが防止される。
【００４５】
本発明に係る動物用靴は、原則としてあらゆる動物種に対して使用されてもよい。偶蹄目の有蹄動物、とりわけ畜牛に対して特に適しているが、それでもなお、豚、山羊又は羊等のその他の偶蹄目の有蹄動物にも同様に使用可能である。豚に使用するのは有利である、というのは、それらの生体構造のために、市販の爪ブロックにフィットすることができないからである。奇蹄目の有蹄動物又は小動物に対してさえも、本発明に係る動物用靴は、整形外科的に有利に使用することができ、四肢又は傷ついた動物の足を緩和することができる。
【００４６】
本発明は、さらに、動物用靴、特に歩行障害のある偶蹄目の有蹄動物の緩和のための動物の足用の整形外科靴向けの靴の基部に関しており、その靴の基部は、本発明に従って、アウトソールと前記アウトソールの反対側に配置されるインソールを備える。そして、前記アウトソールは独立気泡材料で形成され、前記インソールは連続気泡材料で形成される。前記アウトソールとインソールは、本発明に係る前記動物用靴に関して、上記で説明したように有利に構成することができる。
【００４７】
本発明は、動物用靴、特に歩行障害のある偶蹄目の有蹄動物の緩和のための整形外科靴用の、本発明に係るキットをさらに備え、本発明に係る靴の基部と動物の足に正確にカスタマイズ、調整することができる固定シャフトを有する。そして、前記固定シャフトは、前記靴の基部を動物の足に取り付けるための固定部と前記靴の基部に接続するための取付け領域を有する。前記靴の基部と前記固定シャフトは、本発明に係る前記動物用靴に関して、上記で説明したように有利に構成することができる。
【図面の簡単な説明】
【００４８】
以後、図面を参照し、例として有利な実施形態を用いて本発明を詳細に説明する。例として本実施形態に示される特徴の組み合わせは、上記の説明の点から、特定の適用事例に関する他の特徴によってそれぞれ補完することができる。個々の特徴は、その特徴の効果が特定の適用事例にとって重要でない場合には、上記の説明に従って記述される実施形態おいて省略することもできる。同一の機能及び／又は同一の構造の要素に対して図面における同一の参照符号を常に用いる。
【図１】畜牛の爪の例を使用した動物の足の解剖学的側面図を示す。
【図２】畜牛の爪の解剖学的ビューを後部から示す。
【図３】第１実施形態に係る本発明に従って、着用されているが固定されていない状態の動物用靴の斜視図を示す。
【図４】図３の本発明に従って、取り付けられた配置の動物用靴の前記第１実施形態を示す。
【図５】別の実施形態に係る動物用靴の下方から見た上面図を示す。
【図６】図５の第２実施形態の取り付けられた配置の動物用靴の概略側面図を、斜視側面図にて示す。
【図７】第３実施形態に係る本発明に従って、着用されているが固定されていない状態の動物用靴の斜視図を示す。
【図８】図７の発明に従って、取り付けられた配置の動物用靴の実施形態を示す。
【発明を実施するための形態】
【００４９】
以降、偶蹄目の有蹄動物３、例えば、畜牛の動物の足２用の動物用靴１の例を用いて本発明の様々な実施態様例を示す。
【００５０】
本発明の個別の実施形態について添付図面を参照してより詳細に説明する前に、最初に、遠位四肢、すなわち畜牛の動物の足２の構造を図１と図２を参照して簡潔に説明する。
【００５１】
畜牛は、いわゆる偶蹄目の有蹄動物３である。爪４と呼ばれる２つのつま先がその四肢又は動物の足２のそれぞれに配置されている。それらは、内爪及び外爪と呼ばれる。爪は、ソールホーン５とウォールホーン６を備える角質カプセルから成り、ソールホーン５とウォールホーン６が出会う場所は白線７と呼ばれる。角質カプセルの中で浮遊している骨、いわゆる蹄骨８は、真皮の下に横たわる、脂肪組織のクッションを有する球体から成る本来の緩衝保護部としての趾クッション９を有する。
【００５２】
趾クッション９は、荷重印加段階での地面歩行時、蹄骨８を保護する。脂肪組織が占めるため、それは荷重の下で変形し、その変形は、図２において下を指す矢印によって表される体重の圧荷重を吸収、緩衝するために極めて重要である。
【００５３】
動きのシーケンス中、付随する骨の突出部１０が数ミリメートルだけより長いので、外爪が最初に地面を踏む。その後、体重は、最終的に両方の爪４に均等に分配されるまで、最初に、内爪に大部分移される。
【００５４】
偶蹄目の有蹄動物の例として畜牛の四肢の生体構造についての簡単な説明の後、本発明に係る動物用靴１の第１実施形態を、図３及び図４を参照して以下に詳細に説明する。
【００５５】
本発明に係る第１実施形態の動物用靴１は、歩行障害のある偶蹄目の有蹄動物３の緩和のための動物の足２用の整形外科靴を表す。
【００５６】
動物用靴は、靴の基部１１と靴の基部１１を動物の足２に取り付けるための固定シャフト（固定筒、ｆａｓｔｅｎｉｎｇ  ｓｈａｆｔ）１２とを備える。
【００５７】
靴の基部１１は、アウトソール１３とアウトソール１３の反対側に配置されるインソール１４を備える。アウトソール１３は、動物の足２から外方を向き、地面と接触する靴の基部１１の一部である。インソール１４は、動物の足２と接触する靴の基部１１の一部である。
【００５８】
図示の実施形態の固定シャフト１２は、ホース状の、膝の靴下又はストッキングと同様に構成され、簡単に健康な爪４に被せて靴の基部１１（図示の実施形態において、爪ブロックと呼んでもよい）を取り付けることによって健康な爪４を持ち上げ、傷ついた爪を緩和することができる。
【００５９】
固定シャフト１２は、靴の基部１１を動物の足２の爪４に取り付けるための固定部１５を備える。例として図示される実施形態の固定部１５は、靴の基部１１の反対側に配置される固定シャフト１２の領域に配置され、爪４を固定シャフト１２の内部に挿入することができる入口開口部１６を有する。
【００６０】
固定シャフト１２は、固定部１５の反対側の端部に、靴の基部１１への接続のための取り付け領域１６を備える。本発明に係る動物用靴１をその固定シャフト１２及びその靴の基部１１と一体で取り扱うことができるように、この取り付け領域１６は、靴の基部１１に、例えば溶着、好適にはラミネート加工によって接続されてもよい。
【００６１】
図示の実施形態において、固定シャフト１２は、収縮可能な材料、例えば、熱収縮ホース等の収縮ホースから形成される。そのような材料は、加熱されると収縮する、すなわち、収縮して、それによって動物の足に正確にフィットするということに特徴がある。収縮前の固定シャフト１２によって囲まれる動物用靴の内部の寸法は、収容される動物の足２の一部、図示の実施形態の爪４をその中に収納することができる（図３参照）ように作られるが、固定シャフト１２は固定後（図４参照）爪４に正確にフィット、すなわち確実なフィット方式で当接し、それによって本発明に係る動物用靴１を動物の足２に取り付けることができる。
【００６２】
固定シャフト１２を有する本発明に係る動物用靴１の実施形態は、有害成分を含むことが多くまた取り扱い上問題がある接着剤を使用する必要なく、安全かつ確実に動物用靴１を動物の足２にフィットさせることができる。
【００６３】
靴の基部１１は、例えば、プラスチック発泡体等の、１以上の押出しプラスチック材料から作ることができ、趾クッション９の脂肪組織をサポートし、爪４に作用する圧荷重を低減するより良い減衰を提供する。
【００６４】
図示の実施形態において、インソール１４の材料は、アウトソール１３の材料より柔らかい。インソール１４の柔らかい層は、動物の足２のソールのこすれを保護する役割を果たし、さらにインソール１４を適応層に変える。この適応性によって、本発明に係る動物用靴１は、動物特有の生体構造に適応し、また、例えば、不規則な爪ソールにより引き起こされる凹凸を相殺することが可能になる。
【００６５】
図示の実施形態のアウトソール１３は、趾クッション９の減衰特性をサポートする減衰特性も有する。アウトソール１３のトレッド面１７は、動物用靴１の地面に対する接触面である。インソール１４と比べてより高い強度を有することは、アウトソール１３がより摩耗に耐えるという点でより有利である。
【００６６】
一実施形態において、アウトソール１３は独立気泡発泡体１８で形成され、インソール１４は連続気泡発泡体１９で形成されてもよい。連続気泡発泡体１９、例えば連続気泡プラスチック発泡体は、不要な流体が気泡の中に侵入する可能性があるので、同時に防湿部の役割を果たすことができる。同時に、独立気泡発泡体１８は、不純物が靴の基部１１を経由して動物用靴１の内部に意に反して到達することを防止する。
【００６７】
図３及び図４に示される動物用靴１の実施態様例において、靴の基部１１は、２つの層を有して構造化され、第１の減衰要素を構成するアウトソール部材２０と、第２の減衰要素を構成するインソール部材２１とを有する。アウトソール部材２０とインソール部材２１は、靴の基部１１の実施態様例において、互いに接合される。この目的のために、それらは、図示の実施形態において、ソール部材２０、２１が平面であるため平面上に構成される境界面２２において、互いに溶着される。それらは、例えば、ラミネート加工によって、互いに接合されてもよい。
【００６８】
以下に、図５及び図６を参照して、本発明に係る動物用靴１の第２実施形態を詳細に説明する。本発明に係る第２実施形態の動物用靴１の相違点／特色のみを図３及び図４の第１実施形態の動物用靴と比較して詳細に説明するとともに、図３及び図４から容易に明らかでない本発明に係る動物用靴１のさらなる詳細について説明する。
【００６９】
固定シャフト１２は靴の基部１１を完全には包囲していないことが図６から明らかであり、むしろアウトソール１３のトレッド面１７の大部分が露出している。特に、図５及び図６で示される実施形態において、トレッドパターン２３が設けられているトレッド面１７の部分は固定シャフト１２によって覆われていない。
【００７０】
一方、トレッド２３は、より良いサポートの役割を果たし、さらに地面の不規則性を相殺する。トレッド面１７のトレッド２３は、アウトソール１３がその支持端部又は壁エッジ２４上に補強ゾーン３６を有するようにも構成されてもよい。補強ゾーン３６のアウトソールは、硬くされる、すなわちアウトソール１３の残りの部分よりも硬いか、トレッド面１７から突出するかのいずれかであってもよい。このようにして、アウトソール１３の形状は、畜牛の爪の生体構造に適合される。本発明に係る動物用靴１は、従って、本来のサポート要素をシミュレーションし、畜牛の本来の動きのシーケンスを可能にする。補強ゾーン３６は、体自身の減衰クッションをサポートし、生理的な動きのシーケンス及び動物の足に対する体重の分配を維持する役割を果たす。
【００７１】
本発明に係る第２実施形態の動物用靴１は、動きのシーケンスの別の特徴、特に畜牛の動きのシーケンスの別の特徴も説明するが、それは他の動物、特に偶蹄目の有蹄動物にも見ることができる。
【００７２】
前肢と後肢は、畜牛の足置き段階という点で異なる。その理由は、これらの四肢の位置が異なるからである。フロントの蹄は、頭側方向に面する爪又はつま先２５ａで最初に踏み下ろす。後肢の場合、それに反して、畜牛は、尾側端部の足の球体又は球２５ｂで最初に踏み下ろす。
【００７３】
異なる足置き段階を考慮して、トレッド面１７は、前方の尾側端部２７で上方に曲がっている。図６で特によく分かるように、トレッド面１７は、同様にして、頭側端部２６で上方に曲がっている。１つの同一の動物用靴１を使用する場合、曲線２８及び２９とともに、頭側の曲線２６及び尾側の曲線２７は、動物が、より大きな力伝達面上で、すなわち、曲線２８、２９で前肢と後肢の両方で踏み下ろすことを可能にする。その結果、動物は、本来の動きのシーケンスに従って、トレッド面１７の一方の端から他方の端に、圧力を最適化して歩くことができ、また爪全体に渡って荷重を均等に分配することができる。それは図６の曲がった矢印によって示される。荷重の分配は、柔らかい面を歩く時の生理的分配に一致する。
【００７４】
図６に示される実施形態において、曲線２８、２９は、靴の基部１１の厚さが頭側端部２６と尾側端部２７の方に徐々に薄くなるように形成される。図示の実施形態において、具体的には、例えば、最も厚い中央部で１０ｍｍ乃至４５ｍｍの範囲の厚さを有するアウトソール１３の厚さは徐々に薄くなる。
【００７５】
図６は、平坦な境界面２２が、図示の実施形態のアウトソール部材２０とインソール部材２１との間に形成され、それが２つの部材２０、２１間の力を良く伝達できることを示す。図示の実施形態において、例として３ｍｍ乃至１５ｍｍを有するインソール１４は、アウトソール１３の厚さより薄いことも分かる。一つの例外があり、それを今詳細に説明する。
【００７６】
第２実施形態の本発明に係る動物用靴１は、球又は球体保護部３０を有する。球体保護部３０は、動物の足２の尾側端部に位置する角質層に囲まれていない趾クッション９の傷つきやすい組織部を覆う。球体保護部３０は、球の領域を保護し固定シャフト１２のための土台３１を形成し、それによって後者は直接的に趾クッション３０に接触しない。このようにして、球体保護部３０は、本発明に係る動物用靴１の内部に配置される動物の足２の傷つきやすい部分を保護する。
【００７７】
本発明に係る動物用靴１の実施態様例において、インソール１４は、球体保護部３０を形成する。この目的のために、インソール１４は球体保護部３０の領域において厚くされ、さらに、尾側端部２７においてアウトソール１３を超えて突出する。図５及び図６に示される実施態様例の動物用靴１において、頭側端部２６から尾側端部２７まで測定した場合の動物用靴１の長さは、動物の足の長さより長いことは明白である。これにより、尾側端部２７に位置する動物用靴１の部分を、固定シャフト１２と動物の足のかかととの間の球体保護部３０として趾クッション９に適用することが可能になる。特定の状況下では、アウトソール１３もまた、汚れ防止のために、インソール１４によって形成される球体保護部３０を囲む。
【００７８】
固定シャフトと直接接触する可能性がある、動物の足２のさらに傷つきやすい部分を保護するために、インソール１４は、本発明に従って、柔らかい角質の場所、例えば、爪の間に延ばすことができる。
【００７９】
最後に、図７及び図８を参照して、本発明に係る動物用靴１の第３実施形態を説明する。
【００８０】
第３実施形態の動物用靴１の靴の基部１１は、前の実施形態のうちの１つの靴の基部に対応する。
【００８１】
第３実施形態の動物用靴１は、Ｙ字型を有するように構成された固定シャフト１２を備える。Ｙ字型のため、固定シャフト１２は、実質的に上方の領域又は爪の上方に配置されるトランク３３で構成され、そして、例えば、包帯材料３２を、少なくとも部分的に覆って及び／又は固定してもよい。トランクは固定部１５を有してもよい。Ｙ字型構成の固定シャフト１２は、トランク３３から分岐する２つの固定アーム３４、３５をさらに備え、それのそれぞれにおいて、爪４を収容してもよい。
【００８２】
図７及び図８の実施形態の特別に構成された固定シャフト１２によって、前の実施形態において説明したように、靴の基部１１を健康な爪に取り付けることが可能である。同時に、傷ついた爪を固定アーム３４のうちの１つに収容することができる。この収容によって、傷ついた爪を外部の影響に対して保護することが可能になる。例えば、傷ついた爪は包帯を巻いてもよく、その包帯は固定アーム３４に収容されて後者によって固定される。この場合、傷ついた爪が収容される固定アーム３４を爪の先端に面する端部で完全に閉じることができ、それによって、固定アーム３４は傷ついた爪を完全に密閉して汚れ又はその他の意に反した外部の影響に対して保護する。
【符号の説明】
【００８３】
１     動物用靴
２     動物の足
３     偶蹄目の有蹄動物
４     爪
５     ソールホーン
６     ウォールホーン
７     白線
８     蹄骨
９     趾クッション
１０   骨の突出部
１１   靴の基部
１２   固定シャフト
１３   アウトソール
１４   インソール
１５   固定部
１６   入口開口部
１７   トレッド面
１８   独立気泡発泡体
１９   連続気泡発泡体
２０   アウトソール部材
２１   インソール部材
２２   境界面
２３   トレッドパターン
２４   支持端部
２５ａ 足の先端
２５ｂ 球体
２６   頭側端部
２７   尾側端部
２８   曲率
２９   曲率
３０   球体保護部
３１   土台
３２   包帯
３３   トランク
３４   固定アーム
３５   固定アーム
３６   補強ゾーン
【図１】
2020504614.tif 000003
【図２】
2020504614.tif 000004
【図３】
2020504614.tif 000005
【図４】
2020504614.tif 000006
【図５】
2020504614.tif 000007
【図６】
2020504614.tif 000008
【図７】
2020504614.tif 000009
【図８】
2020504614.tif 000010
【国際調査報告】
2020504614.tif 000011
2020504614.tif 000012
2020504614.tif 000013
2020504614.tif 000014
2020504614.tif 000015
2020504614.tif 000016